(57)【特許請求の範囲】
【請求項１】
天井部に対し略垂下状に設けられる防煙垂れ幕において、
略環状に構成された固定枠と、前記固定枠に対し枠外方向へ移動するように係合した可動枠と、前記可動枠の枠内側に設けられた可撓性シート状の垂れ幕本体と、前記固定枠と前記可動枠の間に設けられて前記可動枠を枠外方向へ引っ張る可動枠引張手段とを備え、
前記可動枠は、前記垂れ幕本体の端部側を厚み方向の両側から挟み持つ一片部及び他片部と、これら一片部と他片部を挟持状態に保持する保持手段とを有し、
前記一片部と前記他片部とは、支点部よりも枠内側を狭めながら同支点部よりも枠外側を広げて揺動するように構成され、前記枠内側の部分により前記垂れ幕本体の端部側を挟み持つことを特徴とする防煙垂れ幕。
【請求項２】
前記支点部は、前記一片部と前記他片部とのうちの一方に設けられた突起部と、その他方に設けられた凹部とから構成され、前記突起部は、突端側が基端側よりも断面積が広くなった軸状に形成され、前記凹部は、前記支点部に嵌り合って回動するように形成されることを特徴とする請求項１記載の防煙垂れ幕。
【請求項３】
前記保持手段として、前記一片部と前記他片部における前記支点部よりも枠外側に、被挟持部材を挟み込むようにしたことを特徴とする請求項１又は２記載の防煙垂れ幕。
【請求項４】
前記一片部、前記他片部及び前記被挟持部材を、前記垂れ幕本体の側縁に沿って連続する長尺状に形成したことを特徴とする請求項３記載の防煙垂れ幕。
【請求項５】
前記被挟持部材は、前記支点部の軸方向に沿う円柱状に形成され、
前記一片部と前記他片部における前記支点部よりも枠外側の内面には、前記被挟持部材の外周面に嵌り合う凹部が形成されていることを特徴とする請求項３又は４記載の防煙垂れ幕。
【発明の詳細な説明】
【技術分野】
【０００１】
本発明は、火災時等に生じる煙の拡散を防ぐために天井等に設置される防煙垂れ幕に関するものである。
【背景技術】
【０００２】
従来、この種の発明には、例えば特許文献１に記載のもののように、略環状に構成された固定枠（１０）と、前記固定枠（１０）に対し枠外方向へ移動するように係合した可動枠（２０）と、前記可動枠（２０）の枠内側に両面テープ（３１）によって止着された可撓性の垂れ幕本体（３０）と、前記固定枠と前記可動枠の間に設けられて前記可動枠を枠外方向へ引っ張る可動枠引張手段（４０）とを具備した防煙垂れ幕がある。
この従来技術によれば、軽量且つ可撓性の垂れ幕本体（３０）を用いているため、震災等により万が一落下した場合でも、旧来のガラス板性の垂れ幕本体を用いた製品に比べ、その落下時の破損や衝撃を緩和することができる。
【０００３】
しかしながら、前記従来技術では、可撓性の垂れ幕本体（３０）を可動枠（２０）に対し両面テープ（３１）により止着するようにしているため、可動枠引張手段（４０）による引張力が強すぎた場合等に、垂れ幕本体（３０）が可動枠（２０）から外れてしまうおそれがある。また、可動枠（２０）を可動枠引張手段（４０）により引っ張った際に、垂れ幕本体（３０）の端部側が固定枠（１０）の内壁面に擦れてずれてしまうおそれもある。
【先行技術文献】
【特許文献】
【０００４】
【特許文献１】特開２０１３−２４０３６６号公報
【発明の概要】
【発明が解決しようとする課題】
【０００５】
本発明は上記従来事情に鑑みてなされたものであり、その課題とする処は、可撓性の垂れ幕本体の止着強度を向上することができる防煙垂れ幕を提供することにある。
【課題を解決するための手段】
【０００６】
上記課題を解決するための一手段は、天井部に対し略垂下状に設けられる防煙垂れ幕において、略環状に構成された固定枠と、前記固定枠に対し枠外方向へ移動するように係合した可動枠と、前記可動枠の枠内側に設けられた可撓性シート状の垂れ幕本体と、前記固定枠と前記可動枠の間に設けられて前記可動枠を枠外方向へ引っ張る可動枠引張手段とを備え、前記可動枠は、前記垂れ幕本体の端部側を厚み方向の両側から挟み持つ一片部及び他片部と、これら一片部と他片部を挟持状態に保持する保持手段とを有し、前記一片部と前記他片部とは、支点部よりも枠内側を狭めながら同支点部よりも枠外側を広げて揺動するように構成され、前記枠内側の部分により前記垂れ幕本体の端部側を挟み持つことを特徴とする。
【発明の効果】
【０００７】
本発明は、以上説明したように構成されているので、可撓性の垂れ幕本体の止着強度を向上することができる。
【図面の簡単な説明】
【０００８】
【図１】本発明に係る防煙垂れ幕の一例を示す正面図である。
【図２】同防煙垂れ幕において、可動枠を構成する一片部と他片部の間に垂れ幕本体を挟み込む手順を（ａ）（ｂ）に順次に示す断面図。
【図３】側方側において可動枠を固定枠に止着する手順を（ａ）（ｂ）に順次に示す断面図。
【図４】上方側において可動枠を固定枠に止着する手順を（ａ）（ｂ）に順次に示す断面図。
【図５】側方側の固定枠と下方側の固定枠とを止着する手順を（ａ）（ｂ）に順次に示す要部拡大正面図。
【図６】固定枠に接続ブラケットを止着する手順を（ａ）（ｂ）に順次に示す断面図。
【図７】側方側において固定枠を支持枠に止着する手順を（ａ）（ｂ）に順次に示す断面図。
【図８】横幅方向へ並ぶ二つの防煙垂れ幕の間において固定枠を支持枠に止着する手順を（ａ）（ｂ）に順次に示す断面図。
【図９】接続ブラケットを固定枠に止着する手順を（ａ）（ｂ）に順次に示す断面図。なお、図示する構造は、防煙垂れ幕の下側辺においても上下対称で同構造である。
【図１０】防煙垂れ幕を支持枠に止着しようとしている状態を示す正面図。
【発明を実施するための形態】
【０００９】
本実施の形態の第一の特徴は、天井部に対し略垂下状に設けられる防煙垂れ幕において、略環状に構成された固定枠と、前記固定枠に対し枠外方向へ移動するように係合した可動枠と、前記可動枠の枠内側に設けられた可撓性シート状の垂れ幕本体と、前記固定枠と前記可動枠の間に設けられて前記可動枠を枠外方向へ引っ張る可動枠引張手段とを備え、前記可動枠は、前記垂れ幕本体の端部側を厚み方向の両側から挟み持つ一片部及び他片部と、これら一片部と他片部を挟持状態に保持する保持手段とを有する。
この構成によれば、垂れ幕本体の端部側を一片部と他片部により挟んで可動枠引張手段により引っ張るようにしているため、垂れ幕本体が可動枠から外れ難い。
【００１０】
第二の特徴として、垂れ幕本体を挟み込む際の作業性を向上するために、前記一片部と前記他片部とは、支点部よりも枠内側を狭めながら同支点部よりも枠外側を広げて揺動するように構成され、前記枠内側の部分により前記垂れ幕本体の端部側を挟み持つようにした。
【００１１】
第三の特徴として、製造性の良好か簡素な構造を得るために、前記支点部は、前記一片部と前記他片部とのうちの一方に設けられた突起部と、その他方に設けられた凹部とから構成され、前記突起部は、突端側が基端側よりも断面積が広くなった軸状に形成され、前記凹部は、前記支点部に嵌り合って回動するように形成される。
【００１２】
第四の特徴では、可動部材による挟持状態を簡素な構造でもって頑強に保持するために、前記保持手段として、前記一片部と前記他片部における前記支点部よりも枠外側に、被挟持部材を挟み込むようにした。
【００１３】
第五の特徴としては、前記保持手段による保持強度を向上するために、前記一片部、前記他片部及び前記被挟持部材を、前記垂れ幕本体の側縁に沿って連続する長尺状に形成した。
【００１４】
また、第六の特徴として、前記保持手段により挟持状態を保持する際の作業性及び保持性能を向上するために、前記被挟持部材は、前記支点部の軸方向に沿う円柱状に形成され、前記一片部と前記他片部における前記支点部よりも枠外側の内面には、前記被挟持部材の外周面に嵌り合う凹部が形成されている。
【実施例】
【００１５】
次に、上記特徴を有する好ましい実施例を、図面に基づいて詳細に説明する。
なお、本明細書中、「枠内側」とは、環状に構成される固定枠１０における枠の内側を意味し、「枠外側」とは、同固定枠１０における枠の外側を意味する。
【００１６】
図１は、本発明に係る防煙垂れ幕１及び該防煙垂れ幕の設置構造Ａを示している。
この防煙垂れ幕１は、図示例によれば、天井部ａと、該天井部ａに対し略垂直な側方側の壁部ｂとで囲まれた部分に、横幅方向へ複数（図示例によれば２つ）並んで略垂下状に設置される。なお、防煙垂れ幕１の数は、単数又は３以上とすることも可能である。
【００１７】
各防煙垂れ幕１は、略矩形環状に構成された固定枠１０と、固定枠１０に対し枠外方向へ移動するように係合した可動枠２０と、可動枠２０の枠内側に止着された可撓性の垂れ幕本体３０と、固定枠１０と可動枠２０の間に設けられて可動枠２０を枠外方向へ引っ張る可動枠引張手段４０と、固定枠１０の上下辺部（詳細には固定枠構成部材１１）の撓みを矯正する撓み矯正部材５０とを具備してなる（図１〜図４参照）。
そして、横幅方向へ並ぶ複数の防煙垂れ幕１は、接続ブラケット６０、壁側支持枠７１、連結支持枠７２、下側支持枠７３、上側支持枠７４等を介して、天井部ａ及び壁部ｂに固定される。
【００１８】
固定枠１０、可動枠２０、接続ブラケット６０、壁側支持枠７１、連結支持枠７２、下側支持枠７３及び上側支持枠７４等は、剛性を有する軽量金属材料（例えば、アルミニウム材料等）から成型される。
【００１９】
固定枠１０は、複数（図示例によれば４つ）の固定枠構成部材１１，１２から矩形枠状に構成される。
図２に示す防煙垂れ幕１では、横方向へ延設された略平行な二本の固定枠構成部材１１，１１と、これら固定枠構成部材１１，１１の両端部側で上下方向へ延設された略平行な二本の固定枠構成部材１２，１２と具備している。
【００２０】
横方向の各固定枠構成部材１１は、長手方向へ連続する断面略凹状に形成され（図４参照）、可動枠２０を枠内側から挿入可能な凹部１１ａと、該凹部１１ａの底面を貫通するネジ挿通孔１１ｂと、凹部１１ａの底部壁を前記長手方向へ貫通する貫通孔１１ｃと、接続ブラケット６０に嵌り合う凹溝状の凹部１１ｄとを有する。
この固定枠構成部材１１の長手方向の端部側は、図５に示すように、枠内側の角部分が切欠されており、その残りの突出部分を、他方の固定枠構成部材１２に挿入し嵌合されるようになっている。
【００２１】
凹部１１ａは、固定枠構成部材１１の長手方向へ連続する溝状に形成され、その溝幅を、可動枠２０全体の厚み（図４における左右方向の寸法）よりも若干大きく設定している。この凹部１１ａの底部壁における前記貫通孔１１ｃの端部には、雌ネジ部（図示せず）が形成される。
【００２２】
縦方向の各固定枠構成部材１２も、固定枠構成部材１１と同様に、長手方向へ連続する断面略凹状に形成され（図３参照）、可動枠２０を枠内側から挿入可能な凹部１２ａ、該凹部１１ａの底面を貫通するネジ挿通孔１１ｂ、壁側支持枠７１又は連結支持枠７２に係止される凹溝状の凹部１２ｄ等を有する。
なお、図中、符号１２ｅは、壁側支持枠７１又は連結支持枠７２における突起７１ａ（又は７２ａ）に嵌め合せるための溝状の凹部である。
【００２３】
縦方向の固定枠構成部材１１と横方向の固定枠構成部材１２とは、図５に示すように、その一方の固定枠構成部材１１に挿通されるネジ１３が、他方の固定枠構成部材１２の前記雌ネジ部（図示せず）に螺合されることで、一体矩形枠状の固定枠１０として構成される。
【００２４】
固定枠構成部材１１，１２のネジ挿通孔１１ｂ，１２ｂは、後述する可動枠引張手段４０を構成する調節ネジ４１を、回転可能であって且つ枠内方向へ移動不能に支持するように形成される。
【００２５】
可動枠２０は、横方向へ略平行に延設された二本の可動枠構成部材２０ａ，２０ａと、これら可動枠構成部材２０ａ，２０ａの両端部側で上下方向へ略平行に延設された二本の可動枠構成部材２０ｂ，２０ｂとから構成される。
これら可動枠構成部材２０ａ，２０ｂの各々は、垂れ幕本体３０の端部側を厚み方向の両側から挟み持つ一片部２１及び他片部２２と、これら一片部２１と他片部２２を挟持状態に保持する保持手段（被挟持部材２３）とを有する（図２〜図４参照）
【００２６】
一片部２１と他片部２２は、支点部よりも枠内側（図２によれば右側）を狭めながら同支点部よりも枠外側（図２によれば左側）を広げて揺動するように構成され、前記枠内側の部分により垂れ幕本体３０の端部側を挟み持つ。前記支点部は、一片部２１側の突起部２１ａであり、他片部２２を所定量回動するように支持する。
【００２７】
突起部２１ａは、突端側が基端側よりも断面積が広くなった略円柱の軸状に形成され、一片部２１の長手方向へ連続している。
凹部２２ａは、突起部２１ａに嵌り合って回動するように、突起部２１ａの外周面形状にならう略円筒状に形成される。
一片部２１と他片部２２は、凹部２２ａの長手方向の端部に、突起部２１ａが挿入され略平行にスライドされることで、一体化される。
【００２８】
また、一片部２１と他片部２２における前記支点部よりも枠外側（図２における左側）の内面には、後述する被挟持部材２３の外周面に嵌り合う凹部２１ｂ，２２ｂが形成されている。これら凹部２１ｂ，２２ｂの各々は、断面円弧状に形成され、一片部２１及び他片部２２の長手方向へ凹溝状に連続している。
【００２９】
また、一片部２１と他片部２２における前記支点部よりも枠内側（図２における右側）の内面には、垂れ幕本体３０の端部側を挟み持つ挟持凹部２１ｃと挟持突部２２ｃとが形成される。
挟持凹部２１ｃは、断面半円状の凹部であり、一片部２１の長手方向へ凹溝状に連続している。
挟持突部２２ｃは、挟持凹部２１ｃと嵌脱可能な断面半円状の突起であり、他片部２２の長手方向へ凸リブ状に連続している。
【００３０】
なお、これら挟持凹部２１ｃと挟持突部２２ｃは、その凹凸関係を逆にすることが可能である。すなわち、一片部２１に挟持突部２２ｃを設け、他片部２２に挟持凹部２１ｃを設けてもよい。
また、図示例によれば、挟持凹部２１ｃ及び挟持突部２２ｃを一列設けるようにしたが、他例としては、これら挟持凹部２１ｃ及び挟持突部２２ｃを複数列設けるようにしてもよい。さらに、他例としては、前記構成の挟持凹部と挟持突部２２ｃに置き換えて、前記長手方向へ連続しない単数もしくは複数の凹部および凸部を嵌脱する態様とすることも可能である。
【００３１】
また、一片部２１の枠外側（図２によれば左側）の端部には、調節ネジ４１（図３及び図４参照）を螺合するための凹部２１ｄが形成される。
この凹部２１ｄは、一片部２１の枠内側の端部を凹状に開口するとともに、一片部２１の長手方向へ連続する溝状に形成され、その内側面を、調節ネジ４１のネジ部を螺合可能凹凸状に形成している。
【００３２】
また、縦方向の可動枠構成部材２０ａを構成する一片部２１（図４）には、調節ネジ４１と干渉しない位置に、撓み矯正部材５０を挿通するための貫通孔２１ｅが設けられる。撓み矯正部材５０は、金属製の長尺円柱状部材であり、垂れ幕本体３０の横幅方向の中央寄りに配置される。
【００３３】
また、前記保持手段は、一片部２１と他片部２２の間における支点部よりも枠外側に、被挟持部材２３を挟み込むことで構成される。
被挟持部材２３は、金属製の長尺円柱状部材であり、垂れ幕本体３０の側縁に沿うように、一片部２１及び他片部２２の長手方向へ連続している。
この被挟持部材２３は、一片部２１と他片部２２における支点部よりも枠外側の部分に挟み込まれて、一片部２１と他片部２２における前記支点部よりも枠内側が閉じた状態を保持する。
なお、被挟持部材２３の長手方向の長さは、一片部２１や他片部２２と同じでもよく、短くてもよい。また、被挟持部材２３は、長さ方向において単数の部材でもよいし、複数の部材を長さ方向に複数並べた部材としてもよい。例えば、一片部２１や他片部２２に比べて短い（例えば３ｃｍ程度の）被挟持部材２３を、複数長手方向に間隔を置いて配置し、これら複数の被挟持部材２３を凹曲面状の凹部２１ｂ，２２ｂの間に嵌め合せるようにしてもよい。
また、被挟持部材２３の他例としては、単数もしくは複数の球状部材を、凹曲面状の凹部２１ｂ，２２ｂ間に嵌め合せた態様とすることも可能である。
【００３４】
垂れ幕本体３０は、可撓性を有する難燃性（より好ましくは耐火性）のシート材を、横幅方向へ長尺な平面視矩形状に形成してなる。この垂れ幕本体３０の材質は、例えば、ガラスクロスや、シリカクロス、フッ素加工を施した塩化ビニル樹脂シート材、ガラス繊維を含んだ合成樹脂シート材等とすることが可能である。この垂れ幕本体３０は、視野を妨げないことや、室内灯の光を遮らないこと、意匠性が良好なこと等の観点から、特に好ましくは、透明又は半透明のシート材によって形成される。
また、他の好ましい態様としては、垂れ幕本体３０の表部及び／又は裏部に、文字や絵図等による表示を設け、当該防煙垂れ幕１に看板としての機能を兼ねるようにしてもよい。
【００３５】
可動枠引張手段４０は、固定枠１０と可動枠２０の間に設けられて可動枠２０を枠外方向へ引っ張るように構成され、図示例によれば、先端側に雄螺子部を有するとともに後端側に回転操作可能な頭部を有する調節ネジ４１を、枠外側から固定枠構成部材１１，１２に挿通し係止した状態で、そのネジ部分を一片部２１に螺合してなる。
この構成によれば、調節ネジ４１の頭部が回転操作治具（例えばドライバーや六角レンチ等）により回転操作されることで、可動枠構成部材２０ａ，２０ｂを固定枠構成部材１１，１２に対し接近離隔させることができる。したがって、可動枠構成部材２０ａ，２０ｂに止着された垂れ幕本体３０は、可動枠引張手段４０の調整により、その張力が調整可能である。
【００３６】
この可動枠引張手段４０は、図１に示すように、固定枠１０及び可動枠２０の外周側において、上辺側と下辺側と左辺側と右辺側とに、それぞれ各辺の長手方向へ間隔を置いて複数設けられる。
【００３７】
接続ブラケット６０は、上下の固定枠構成部材１１に対し枠外側から嵌り合うように、開口部を固定枠構成部材１１（又は１２）側へ向けた断面略凹状を呈し（図６参照）、横幅方向において、固定枠構成部材１１（又は１２）よりも短く形成される（図１参照）。
図６及び図９等に示すように、この接続ブラケット６０における枠外側の壁部には、位置決めネジ６１（例えば、六角穴付きネジ）を螺合するためのネジ孔６０ａ（雌ネジ部）が設けられる。さらに、この接続ブラケット６０における手前側（図６によれば右側）の壁部には、該接続ブラケット６０をネジ７５によって上側支持枠７４に固定するための止着孔６０ｂが設けられる。
【００３８】
また、断面凹状の接続ブラケット６０内の側壁面には、該接続ブラケット６０を固定枠構成部材１１（又は１２）に対し凹凸状に嵌め合せるための、突起６０ｃ，６０ｄが設けられる。一方の突起６０ｃは、固定枠構成部材１１の凹部１１ｄに対し嵌り合う突起であり、横幅方向へ連続して設けられる。なお、図示例によれば、接続ブラケット６０側を突起６０ｃとし、固定枠構成部材１１側を凹部１１ｄとしているが、その凹凸関係を逆にしてもよい。
また、他方の突起６０ｄは、接続ブラケット６０内にて固定枠構成部材１１の枠外側の縁に当接し、固定枠構成部材１１が、枠内外方向へがたつくのを防ぐ。
【００３９】
また、壁側支持枠７１、下側支持枠７３及び上側支持枠７４は、断面略凹状の長尺状部材である。
壁側支持枠７１の内面には、図７に示すように、固定枠構成部材１２の凹部１２ｅに対し凹凸状に嵌り合う突起７１ａが、長手方向へ連続して設けられる。これらの凹凸関係も逆にすることが可能である。
下側支持枠７３及び上側支持枠７４の各々の内面には、図９に示すように、接続ブラケット６０の枠内側の端部に係止するための突起７３ａ，７４ａが設けられる。
また、上側支持枠７４の手前面には、ネジ７５を挿入するための止着孔が設けられる（図９参照）。
【００４０】
また、連結支持枠７２は、左右両側に開口を有する断面略Ｈ状の長尺状部材であり、左右の二つの防煙垂れ幕１，１を連結する（図８参照）。
連結支持枠７２の各開口部内には、挿入される固定枠構成部材１２の凹部１２ｄに対し凹凸状に嵌り合う突起７２ａが、当該連結支持枠７２の長手方向へ連続して設けられる。なお、凹部１２ｄと突起７２ａの凹凸関係も逆にすることが可能である。
【００４１】
次に、上記構成の防煙垂れ幕１を設置する際の手順について詳細に説明する。
先ず、垂れ幕本体３０の四辺側に、それぞれ可動枠構成部材２０ａ，２０ｂが接続される（図１参照）。
詳細に説明すれば、可動枠構成部材２０ａ（又は２０ｂ）の支点部よりも枠外側の部分を手等で摘まむ等して、同支点部よりも枠内側の部分を開放し、その開放部分に垂れ幕本体３０の端部を挿入する（図２（ａ）参照）。
次に、可動枠構成部材２０ａ（又は２０ｂ）の支点部よりも枠外側の部分を手等で摘まむ等して、前記開口部分を閉じ、該部分に垂れ幕本体３０を挟み込む（図２（ｂ）参照）。
【００４２】
そして、可動枠構成部材２０ａ（又は２０ｂ）の支点部よりも枠外側の開口部分に、被挟持部材２３を挟み込む（図２（ｂ）参照）。
この状態において、被挟持部材２３は、一片部２１と他片部２２の間の凹曲面状の凹部２１ｂ，２２ｂに嵌り合うため、容易に抜けるようなことがない。
また、垂れ幕本体３０の端部側は、一片部２１と他片部２２の間の挟持凹部２１ｃと挟持突部２２ｃの間に挟まれて局部的に変形するため、容易に引き抜けることがない。
【００４３】
次に、左右の側方側の各々において、図３（ａ）（ｂ）に示すように、前記挟持状態の可動枠構成部材２０ｂを、側方側の固定枠構成部材１２に挿入し、固定枠構成部材１２に挿入した調節ネジ４１を可動枠構成部材２０ｂの一片部２１に螺合する。
【００４４】
同様に、上下側の各々において、図４に示すように、前記挟持状態の可動枠構成部材２０ａを、上側又は下側の固定枠構成部材１１に挿入し、固定枠構成部材１１に挿入した調節ネジ４１を可動枠構成部材２０ａの一片部２１に螺合する。また、この際、各一片部２１には、貫通状に撓み矯正部材５０の端部側が挿入される。
【００４５】
そして、図５に示すように、横方向へ延びる固定枠構成部材１２の端部側と、上下方向へ延びる固定枠構成部材１１の端部側とが、嵌め合せられ、ネジ１３によって止着固定される。
このようにして、上下左右の固定枠構成部材１１，１２が矩形枠状の固定枠１０を構成し、この固定枠１０の内部に、上下左右の可動枠構成部材２０ａ，２０ｂからなる矩形枠状の可動枠２０が枠内外方向へ移動可能に収納される。
【００４６】
次に、各辺側の調節ネジ４１を締付けることで、各可動枠構成部材２０ａ，２０ｂを枠外方向へ移動させて、垂れ幕本体３０を引き張り、該垂れ幕本体３０における皺や弛み等を除去する。この際、上下の固定枠構成部材１１，１１間には、垂れ幕本体３０の横幅方向の中央寄りにおいて、撓み矯正部材５０が挟まれる。このため、これら固定枠構成部材１１，１１が変形して垂れ幕本体３０に皺や弛みが生じるのを防ぐことができる。
【００４７】
次に矩形枠状の固定枠１０の上端側に、複数の接続ブラケット６０が接続される。詳細に説明すれば、図６に示すように、固定枠１０を構成する上側の固定枠構成部材１１における長手方向の端部側に、接続ブラケット６０が嵌め合せられる。この際、接続ブラケット６０は、弾性的に厚み方向へ広げられて、その内部に固定枠構成部材１１が挿入され、弾性的な復元力により、固定枠構成部材１１を締付ける。
また、接続ブラケット６０に対して枠外側から位置決めネジ６１がねじ込まれ、該位置決めネジ６１の突端が固定枠構成部材１１に当接されることで、接続ブラケット６０は横幅方向へずれないように固定される。
【００４８】
次に、左右における一方側の固定枠構成部材１２は、図７に示すようにして、壁側支持枠７１に嵌め合せられ、その他方側の固定枠構成部材１２は、図８に示すように、連結支持枠７２に嵌め合せられる。
【００４９】
防煙垂れ幕１は、上記手順で複数組立てられ、横幅方向へ並べられる。そして、隣り合う防煙垂れ幕１の間は、連結支持枠７２によって接続される。
【００５０】
また、複数の防煙垂れ幕１を跨るようにして、下側の左右の固定枠構成部材１１，１１には、接続ブラケット６０を介して下側支持枠７３が嵌め合せられる。この下側支持枠７３は、ネジ７５によって接続ブラケット６０に止着される。
【００５１】
一方、天井部ａには、図１０に示すように、予め上側支持枠７４が止着固定される。
そして、壁側支持枠７１、連結支持枠７２及び下側支持枠７３によって一体化された複数の防煙垂れ幕１は、持ち上げられて、上側支持枠７４に止着される。この際、防煙垂れ幕１上端側の複数の接続ブラケット６０が、図９に示すように、それぞれ上側支持枠７４に挿入される。上側支持枠７４は、厚み方向へ弾性的に拡がって接続ブラケット６０を挿入し、突起７４ａを接続ブラケット６０の下端側に係止するとともに、この係止状態を弾性的に狭まろうとする復元力により保持する。
さらに、上側支持枠７４にはネジ７５が挿入され、該ネジ７５が接続ブラケット６０にねじ込まれることで、複数の防煙垂れ幕１は、容易に外れることのないように吊持される。
【００５２】
よって、上記構成の防煙垂れ幕１及び防煙垂れ幕の設置構造Ａによれば、垂れ幕本体３０の端部側を、可動枠２０の一片部２１と他片部２２により挟み可動枠引張手段４０により引っ張ると、一片部２１及び他片部２２が枠外方向へ一体的に移動して、垂れ幕本体３０が引き張られる。このため、従来構造のように垂れ幕本体の端部側が固定枠等に擦れてずれるようなことがない。
また、前記引張状態では、垂れ幕本体３０が挟持凹部２１ｃと挟持突部２２ｃに挟まれて局部的に変形して挟持されため、該垂れ幕本体３０が一片部２１及び他片部２２間から引き抜けてしまうのを効果的に防ぐことができる。
【００５３】
また、上記のようにして防煙垂れ幕１を、上側支持枠７４に吊持する作業においては、横幅方向に間隔をおいた複数の接続ブラケット６０を上側支持枠７４に嵌め合せるようにしているため、現場状況等により天井部ａに僅かな湾曲部分がある場合等であっても、その作業をスムーズに行うことができる。
すなわち、例えば、仮に上辺側の固定枠構成部材１１を直接上側支持枠７４に嵌合するようにした場合には、天井部ａの湾曲部分に沿って下側支持枠７３が変形し、この変形した下側支持枠７３に対し固定枠構成部材１１が係止されなくなってしまうおそれがある。
しかしながら、上記実施例の設置構造Ａによれば、横幅方向に間隔を置いた複数の接続ブラケット６０を上側支持枠７４に嵌合するようにしているため、接続ブラケット６０毎の嵌合性が良好であり、ひいては、上辺側の固定枠構成部材１１を上側支持枠７４に対しスムーズに嵌合し係止させることができる。
【００５４】
なお、上記実施例によれば、一片部２１と他片部２２の挟持状態を保持する保持手段として、円柱状の被挟持部材２３を一片部２１と他片部２２間に挟むようにしたが、前記保持手段の他例としては、挟持状態にある一片部２１と他片部２２の間にネジを螺合して該挟持状態を保持するようにした態様、ばね材の弾性力によって挟持状態を保持するようにした態様等とすることも可能である。
【００５５】
また、上記実施例によれば、一片部２１と他片部２２との支持構造として、一片部２１側の突起部２１ａを他片部２２側の凹部２２ａに嵌め合せるようにしたが、他例としては、これら一片部２１と他片部２２とを軸部材により回動するようにした態様や、その他の支持構造によって揺動する構造とすることも可能である。
【００５６】
また、上記実施例によれば、可動枠引張手段４０として、固定枠１０に挿通支持される調節ネジ４１を可動枠２０に螺合したが、この可動枠引張手段４０の他例としては、ばね力により可動枠２０が枠外側へ引っ張られる構造等、ネジ以外の構成とすることも可能である。
【符号の説明】
【００５７】
１：防煙垂れ幕
１０：固定枠
１１：固定枠構成部材
１１ａ：挿入可能な凹部
２０：可動枠
２０ａ：可動枠構成部材
２０ｂ：可動枠構成部材
２１：一片部
２１ａ：突起部
２１ｂ：凹部
２２：他片部
２２ｂ：凹部
２３：被挟持部材（保持手段）
３０：垂れ幕本体
４０：可動枠引張手段
ａ：天井部
【図１】
0006448989.tif 000002
【図２】
0006448989.tif 000003
【図３】
0006448989.tif 000004
【図４】
0006448989.tif 000005
【図５】
0006448989.tif 000006
【図６】
0006448989.tif 000007
【図７】
0006448989.tif 000008
【図８】
0006448989.tif 000009
【図９】
0006448989.tif 000010
【図１０】
0006448989.tif 000011